(57)【要約】【課題】棚の軽量化を果たすことで、使用者が貯蔵室を使用する際の棚の利便性およびメンテナンス性を向上でき、貯蔵室内の温度ムラを減少して、清掃性の向上を図ることができる冷蔵庫を提供する。【解決手段】冷蔵庫１は、冷蔵温度帯に冷却可能な貯蔵室である冷蔵室２を有し、冷蔵室２の内壁には、棚２０，２１を設置する棚受け部２９が配置され、棚２０，２１は、冷蔵室２内の冷気Ｃを通すための複数の孔３０を有する板ガラス３１と、板ガラス３１の周囲に形成された樹脂製の枠部３２とを有する。【選択図】図２
2017187232.tif 000002
【特許請求の範囲】
【請求項１】
冷蔵温度帯に冷却可能な貯蔵室を有し、前記貯蔵室の内壁には、棚を設置する棚受け部が配置され、
前記棚は、前記貯蔵室内の冷気を通すための複数の孔を有する板ガラスと、前記板ガラスの周囲に形成された樹脂製の枠部とを有する冷蔵庫。
【請求項２】
前記樹脂製の枠部は、前記板ガラスに対して樹脂のインサート成形をすることにより、形成されている請求項１に記載の冷蔵庫。
【請求項３】
複数の前記孔は円形状であり、前記板ガラスにおいて相互に間隔をおいて形成されている請求項１に記載の冷蔵庫。
【請求項４】
複数の前記孔は長孔であり、前記板ガラスの前後方向に沿って形成され、各前記孔は、相互に間隔をおいて形成されている請求項１に記載の冷蔵庫。
【請求項５】
前記孔は、前記板ガラスの平面方向に対して、前記冷気を斜め下方向に案内するために、傾斜して形成されている請求項１及び３乃至４のいずれかに記載の冷蔵庫。
【請求項６】
前記孔は長孔であり、前記板ガラスの左右方向に沿って形成されており、
前記孔の長さ方向に沿って配置されて前記冷気を前記棚の上側から前記棚の下側へ案内するための冷気案内部材を有する請求項１または４に記載の冷蔵庫。
【発明の詳細な説明】
【技術分野】
【０００１】
本発明の実施の形態は、冷蔵庫に関する。
【背景技術】
【０００２】
従来の冷蔵庫は、冷凍可能な複数の貯蔵室と、冷蔵可能な複数の貯蔵室を有し、貯蔵室は、外部との断熱を行うための断熱材で構成されている。冷蔵可能は貯蔵室には、区画用の棚が組み付けられており、この棚は、特許文献１に開示されているように、樹脂で可視性の良いガラスをインサート成形することで作られている。
【先行技術文献】
【特許文献】
【０００３】
【特許文献１】特許第４５９０２５８号
【発明の概要】
【発明が解決しようとする課題】
【０００４】
しかし、特許文献１において開示されている冷蔵庫の棚は、樹脂でガラスをインサート成形することで構成されているので、棚自体は重く、非力な使用者にとっては棚の移動等の取扱いがし難かった。
【０００５】
また、棚で貯蔵室の冷蔵空間が遮蔽されてしまっていることで、貯蔵室内の空気の流動がしにくく、各段の貯蔵領域部分で温度ムラが発生し易く、貯蔵室における冷却性能に悪影響を与えていた。
【０００６】
さらに、棚の縁に樹脂が凸状に成形されているために、清掃時に洗浄後の水切りが良くなく、棚の乾燥には時間が掛かることから、清掃性の向上が図れない。
【０００７】
本発明は、上記に鑑みてなされたもので、その目的とするところは、棚の軽量化を果たすことで、使用者が貯蔵室を使用する際の棚の利便性およびメンテナンス性を向上でき、貯蔵室内の温度ムラを減少して、清掃性の向上を図ることができる冷蔵庫を提供することにある。
【課題を解決するための手段】
【０００８】
本発明の実施の形態の冷蔵庫は、冷蔵温度帯に冷却可能な貯蔵室を有し、前記貯蔵室の内壁には、棚を設置する棚受け部が配置され、前記棚は、前記貯蔵室内の冷気を通すための複数の孔を有する板ガラスと、前記板ガラスの周囲に形成された樹脂製の枠部とを有する。
【図面の簡単な説明】
【０００９】
【図１】本発明の第１実施形態に係わる冷蔵庫の全体を示す斜視図である。
【図２】図１に示す冷蔵庫の冷蔵室に配置されている棚の例を示す図である。
【図３】図２に示す板ガラスの孔の断面形状例を示す図である。
【図４】本発明の第２実施形態を示す断面図である。
【図５】本発明の第３実施形態を示しており、図５（Ａ）は、図１に示す棚の平面図であり、図５（Ｂ）は、図５（Ａ）に示す棚のＮ−Ｎ線における断面図であり、図５（Ｃ）は、図５（Ａ）に示す棚の正面図である。
【図６】図５（Ａ）と図５（Ｂ）に示す板ガラスの孔の断面形状例を示す図である。
【図７】本発明の第４実施形態を示しており、棚の平面図である。
【図８】図７の棚のＤ−Ｄ線における断面図である。
【図９】本発明の第４実施形態を示す平面図である。
【発明を実施するための形態】
【００１０】
以下、図面を用いて、本発明の実施するための形態（以下、実施形態と称する）を説明する。
【００１１】
＜第１実施形態＞
図１は、本発明の第１実施形態に係わる冷蔵庫の全体を示す斜視図であり、冷蔵室の扉が開いている状態を示している。
【００１２】
図１に示す冷蔵庫１は、本体１Ａを有している。この冷蔵庫１の本体１Ａは、外側側板からなる外箱と、内側側板からなる内箱を有し、その外箱と内箱の間には、断熱材が配置されている断熱性を有するキャビネットにより構成されている。この本体１Ａの内部には、複数の貯蔵室が形成されている。
【００１３】
複数の貯蔵室としては、図１と図２に示すように、上から順に冷蔵温度帯に冷却可能な冷蔵区画としての冷蔵室２と野菜室３が設けられ、この野菜室３の下には、冷凍温度帯に冷却可能な冷凍区画としての製氷室４と上冷凍室５が左右の並べて設けられ、最下部には冷凍区画としての下冷凍室６が設けられている。
【００１４】
図１に示すように、冷蔵室２の前面には、冷蔵室２の前面開口部を開閉する扉７が設けられている。この扉７の端部が、図示しないヒンジにより、本体１Ａに対して、回動可能に取り付けられている。
【００１５】
野菜室３、製氷室４、上冷凍室５、下冷凍室６の各前面には、各前面開口部を開閉する引出し式の扉８，９，１０，１１が設けられている。
【００１６】
図１に示すように、冷蔵室２内には、例えば上段の棚２０と、中段の棚２０と、下段の棚２１が、出し入れ可能に設置されている。上段の棚２０と中段の棚２０は同じ形状の棚であるが、下段の棚２１の形状は、上段と中段の棚２０，２０の形状とは異なる。棚２１は、前側の分割棚部分２２と後側の分割棚部分２３から成る。
【００１７】
図１に示す上段の棚２０の左右両端部と、中段の棚２０の左右両端部と、下段の棚２１の左右両端部は、それぞれ棚受け部２９により、前後方向Ｘに沿ってスライド可能に受けている。使用者は、冷蔵室２内において、上段の棚２０と中段の棚２０と下段の棚２１を、前後方向Ｘに沿ってスライドすることで、取り付けたり、取り外すことができる。
【００１８】
次に、図２を参照して、図１に示す冷蔵庫１の冷蔵室２内に配置されている棚２０の構造例を説明する。
【００１９】
図２（Ａ）は、棚２０の平面図であり、図２（Ｂ）は、図２（Ａ）に示す棚２０のＭ−Ｍ線における断面図であり、図２（Ｃ）は、図２（Ａ）に示す棚２０の正面図である。
【００２０】
図２に示すように、棚２０は、複数の孔３０を有する長方形状の板ガラス３１と、この板ガラス３１の全周囲に形成された樹脂製の枠部３２を有する。板ガラス３１は、透明あるいは透光性を有するガラスであり、好ましくは強化ガラスを用いているが、特に限定されない。
【００２１】
これにより、冷蔵室２内に１枚または複数枚の棚２０を配置しても、棚２０の板ガラス３１自体は照明光を通すことから、冷蔵室２内が暗くなってしまうことがない。板ガラス３１を強化ガラスで作る場合には、強化ガラスは、焼き処理かあるいは化学処理により作られる。
【００２２】
もし、この板ガラス３１に代えて、棚として金属製の板を用いると、金属製の板は照明光を通さないことから、金属製の棚を配置した冷蔵室２内が暗くなってしまう。たとえ、金属製の板に孔を形成したとしても、やはり棚を配置した冷蔵室２内が暗くなってしまう。
【００２３】
図２（Ａ）に示すように、樹脂製の枠部３２は、板ガラス３１の四辺の全周囲部分に形成されており、樹脂製の枠部３２は、板ガラス３１の四辺の全周囲部分を保護している。樹脂製の枠部３２は、好ましくは、板ガラス３１に対して樹脂のインサート成形をすることにより、形成されている。
【００２４】
樹脂製の枠部３２の材質としては、例えばポリカーボネート等が使用できるが、材質は特に限定されない。枠部３２は、板ガラス３１の四辺の全周囲部分を覆う部分３２Ａ，３２Ｂ，３２Ｃ，３２Ｄを有し、枠部３２は、図２（Ｂ）に示すように突起部分３２Ｅを有する。
【００２５】
図２（Ａ）と図２（Ｂ）に示すように、複数の孔３０は、板ガラス３１において上下方向Ｚに沿って形成された断面が円形の貫通孔である。複数の孔３０は、上方から冷蔵室２内に吹き出される冷気を、棚２０の上側領域から棚２０の下側領域へ通すために設けられている。複数の孔３０は、板ガラス３１の平面において、相互に同じ間隔をおいて、前後方向Ｘと左右方向Ｙに沿ってマトリックス状に、例えば２１個形成されている。
【００２６】
図３は、図２に示す板ガラス３１の孔３０の断面形状例を示している。
【００２７】
図３に示すように、孔３０は上下方向Ｚに沿って、すなわち板ガラス３１の平面３１Ｐに対して垂直方向に沿って、断面円形状に形成されており、孔３０の軸Ｓは、上下方向Ｚに沿っている。これにより、冷蔵室２内の冷気Ｃは、矢印で示すように、板ガラス３１の上側領域から、各孔３０を通過して、板ガラス３１の下側領域に導くことができる。
【００２８】
しかも、板ガラス３１を用いていることに配慮して、孔３０を形成している入口部分の角部分３０Ｈと、出口部分の角部分３０Ｇは、面取りが施されている。
【００２９】
このように、板ガラス３１には、複数の孔３０が、同じ間隔をおいて設けられていることにより、本体１Ａの背面位置に配置されている冷蔵室・野菜室用冷却器が発生する冷気Ｃは、冷蔵用冷気循環ファンを回転することにより、送風ダクトを通じて冷蔵室２の上方から冷蔵室２内に吹き出される。
【００３０】
この冷蔵室２の上方から冷蔵室２内に吹き出される冷気Ｃは、図２と図３に示す棚２０の板ガラス３１の各孔３０を通じて、板ガラス３１の上側領域から、各孔３０を通過して、板ガラス３１の下側領域に導くことができる。
【００３１】
これにより、図１に示すように、冷蔵室２内に１枚または複数枚の棚２０が配置されても、冷蔵室２内において冷気Ｃの流動と循環を良好にすることができる。このため、冷蔵室２内の温度ムラの減少を図ることができ、複数の棚２０，２１で区切られた冷蔵室２の各スペース間における冷気Ｃの流れが、複数の孔３０を通じて容易になる。
【００３２】
また、樹脂製の板に比べて比較的重量のある板ガラス３１を用いても、板ガラス３１には複数の孔３０を形成することで、棚２０の軽量化を図ることができる。このため、非力な使用者であっても、棚２０を冷蔵室２内に取り付けたりや取り外す作業が容易になる。
【００３３】
さらに、樹脂製の枠部３２が、板ガラス３１の四辺の全周囲部分において、凸状に形成されていたとしても、板ガラス３１には複数の孔３０が形成されていることから、棚２０の清掃時に棚２０を水洗いしても、水は複数の孔３０を通じて、板ガラス３１の平面３１Ｐ上から板ガラス３１の下側へ流れ出てしまう。このため、棚２０の清掃時の洗浄時の水切れが容易になり、棚２０の乾燥時間を短くすることができるので、メンテナンス性が良好である。
【００３４】
＜第２実施形態＞
次に、本発明の第２実施形態を、図４を参照して説明する。
【００３５】
図４は、本発明の第２実施形態を示す断面図である。
【００３６】
図３に示す第１実施形態の孔３０は、上下方向Ｚに沿って、すなわち板ガラス３１の平面３１Ｐに対して垂直方向に沿って、断面円形状に形成されている。
【００３７】
これに対して、図４に示す第２実施形態の板ガラス３１では、複数の孔３０は、板ガラス３１の平面３１Ｐに対して、所定の角度θで斜めに形成されていることが異なる。この孔３０は、図４に示す冷蔵室２における前方方向Ｘ１へ、冷気Ｃが孔３０を通って斜め下方へ送ることができるように、斜めに形成されている。
【００３８】
しかも、板ガラス３１を用いていることに配慮して、孔３０を形成している入口部分の角部分３０Ｈと、出口部分の角部分３０Ｇは、面取りが施されている。
【００３９】
図１の本体１Ａの背面位置に配置されている冷蔵室・野菜室用冷却器が発生する冷気は、冷蔵用冷気循環ファンを回転することにより、送風ダクトを通じて冷蔵室２の上方から冷蔵室２内に吹き出される。この冷蔵室２の上方から冷蔵室２内に吹き出される冷気Ｃは、図４に示す棚２０の板ガラス３１の斜めに形成された各孔３０を通じて、板ガラス３１の上側領域から、各孔３０を通過して、図４に示す冷蔵室２における前方方向Ｘ１へ向けて、板ガラス３１の下側領域に導くことができる。
【００４０】
これにより、冷蔵室２内に１枚または複数枚の棚２０が配置されても、冷蔵室２内において冷気Ｃの流動と循環を、さらに良好にすることができる。このため、冷蔵室２内の温度ムラの減少を図ることができ、複数の棚２０，２１で区切られた冷蔵室２の各スペース間における冷気Ｃの流れが、複数の孔３０を通じてさらに容易になる。
【００４１】
また、比較的重量のある板ガラス３１を用いても、板ガラス３１には複数の孔３０を形成することで、棚２０の軽量化を図ることができる。このため、非力な使用者であっても、棚２０を冷蔵室２内に取り付けたりや取り外す作業が容易になる。
【００４２】
さらに、樹脂製の枠部３２が、板ガラス３１の四辺の周囲部分において、凸状に形成されていても、板ガラス３１には複数の孔３０が形成されていることから、棚２０の清掃時に棚２０を水洗いしても、水は複数の孔３０を通じて、板ガラス３１の平面３１Ｐから下側に流れ出てしまう。このため、棚２０の清掃時の洗浄時の水切れが容易になり、棚２０の乾燥時間を短くすることができるので、メンテナンス性が良好である。
【００４３】
＜第３実施形態＞
次に、本発明の第３実施形態を、図５と図６を参照して説明する。
【００４４】
図５と図６は、本発明の第３実施形態を示している。図５（Ａ）は、図１に示す棚２０の平面図であり、図５（Ｂ）は、図５（Ａ）に示す棚２０のＮ−Ｎ線における断面図であり、図５（Ｃ）は、図５（Ａ）に示す棚２０の正面図である。
【００４５】
図５に示す棚２０の構成要素が、図２に示す棚２０の構成要素と実質的に同じである場合には、同じ符号を記して、その説明を省略する。
【００４６】
図５に示す棚２０は、複数の孔１３０を有する板ガラス３１と、この板ガラス３１の周囲に形成された樹脂製の枠部３２を有する。
【００４７】
図５（Ａ）に示すように、樹脂製の枠部３２は、板ガラス３１の四辺の全周囲部分に形成されており、樹脂製の枠部３２は、板ガラス３１の四辺の全周囲部分を保護している。
【００４８】
図５（Ａ）と図５（Ｂ）に示すように、複数の孔１３０は、板ガラス３１において上下方向Ｚに沿って形成された貫通孔であり、しかも前後方向Ｘに沿って長く形成されている長孔である。複数の孔１３０は、冷蔵室２内の冷気を、上側領域から下側領域へ通すために設けられている。複数の孔１３０は、板ガラス３１の平面において、左右方向Ｙに関して、相互に同じ間隔をおいて、例えば７個形成されている。
【００４９】
図６は、図５（Ａ）と図５（Ｂ）に示す板ガラス３１の孔１３０の断面形状例を示している。
【００５０】
図６では、図５（Ａ）と図５（Ｂ）に示す板ガラス３１の複数の孔１３０内の左端部と右端部に形成されている孔１３０（１３０Ｓ，１３０Ｓで示す）の断面形状例を示している。図６に示すように、第３実施形態の板ガラス３１では、左右位置の孔１３０Ｓ，１３０Ｓは、板ガラス３１の平面３１Ｐに対して、所定の角度θで斜めに形成されている。ただし、これらの孔１３０Ｓ，１３０Ｓの傾斜方向は、板ガラス３１の中心線から見て逆方向である。左右位置の孔１３０Ｓ，１３０Ｓは、図１に示す冷蔵室２における左右方向Ｙ１，Ｙ２へ、それぞれ冷気Ｃが孔１３０Ｓ，１３０Ｓを通って送ることができる。
【００５１】
本体１Ａの背面位置に配置されている冷蔵室・野菜室用冷却器が発生する冷気Ｃは、冷蔵用冷気循環ファンを回転することにより、送風ダクトを通じて冷蔵室２内に吹き出される。この冷蔵室２内に吹き出される冷気Ｃは、図２に示す棚２０の板ガラス３１の斜めに形成された各孔１３０，１３０Ｓを通じて、板ガラス３１の上側領域から、各孔１３０，１３０Ｓを通過して、板ガラス３１の下側領域に導くことができる。
【００５２】
これにより、冷蔵室２内に１枚または複数枚の棚２０が配置されても、冷蔵室２内において冷気Ｃの流動と循環を、さらに良好にすることができる。このため、冷蔵室２内の温度ムラの減少を図ることができ、複数の棚２０，２１で区切られた冷蔵室２の各スペース間における冷気Ｃの流れが、複数の孔１３０，１３０Ｓを通じて容易になる。
【００５３】
なお、図６に示すように、左右位置の合計２個の孔１３０Ｓが、傾斜して形成されているが、これに限らず、例えば左右位置の合計４個の孔１３０Ｓが、傾斜して形成されているようにしても良く、孔の数に限定されない。
【００５４】
図５（Ａ）において、各孔１３０（１３０Ｓ）が、板ガラス３１に形成される好ましい位置について説明する。各孔１３０（１３０Ｓ）は、前後方向Ｘに沿って形成されているが、各孔１３０（１３０Ｓ）の全長の形成長さは、符号Ａで示している。各孔１３０（１３０Ｓ）の一端部と枠部３２の覆う部分３２Ａとの間の間隔は、符号Ｃで示し、各孔１３０（１３０Ｓ）の他端部と枠部３２の覆う部分３２Ｃとの間の間隔は、符号Ｂで示している。
【００５５】
これらの形成長さＡと、間隔Ｂ，Ｃの関係としては、
形成長さＡ＞間隔Ｂ＋間隔Ｃ
である。
【００５６】
各孔１３０（１３０Ｓ）の数値例を挙げれば、各孔１３０（１３０Ｓ）の幅は、例えば２ｍｍから３ｍｍであり、全長の形成長さＡは、例えば１５０ｍｍである。間隔Ｂ，Ｃの寸法としては、例えば３５０ｍｌ収容の直径６４ｍｍの缶ビールＷを板ガラス３１の上においても、各孔１３０（１３０Ｓ）の一端部と他端部が、缶ビールＷにより隠れないような数値を採用している。
【００５７】
＜第４実施形態＞
次に、本発明の第４実施形態を、図７と図８を参照して説明する。
【００５８】
図７と図８は、本発明の第４実施形態を示している。図７は、棚２０の平面図であり、図８は、図７の棚２０のＤ−Ｄ線における断面図である。
【００５９】
図７に示すように、棚２０は、図５に示す棚２０の構成要素が、図２に示す棚２０の構成要素と実質的に同じである場合には、同じ符号を記して、その説明を省略する。
【００６０】
図７に示す棚２０は、複数の孔２３０を有する板ガラス３１と、この板ガラス３１の周囲に形成された樹脂製の枠部３２を有する。
【００６１】
図７に示すように、樹脂製の枠部３２は、板ガラス３１の四辺の全周囲部分に形成されており、樹脂製の枠部３２は、板ガラス３１の四辺の全周囲部分を保護している。
【００６２】
図７と図８に示すように、板ガラス３１には、孔２３０が形成されている。この孔２３０は、貫通孔であり、図７に示すように、左右方向Ｙに沿って長く形成されている長孔である。この長孔である孔２３０は、枠部３２の覆う部分３２Ａに沿っており、しかも左右方向Ｙに関してほぼ中央位置に配置されている。
【００６３】
図８に例示するように、例えば、孔２３０は、傾斜面２３１と、垂直面２３２を有する。傾斜面２３１は、板ガラス３１の平面３１Ｐに対して、角度θで傾斜して形成されている。しかも垂直面２３２側には、冷気案内部材２４０が取り付けられている。冷気案内部材２４０は、例えば樹脂製であり、図７に示すように、左右方向Ｙに沿って取り付けられている。
【００６４】
図８に示すように、冷気案内部材２４０は、突起部２４１と、冷気案内傾斜面２４２と、傾斜上面部２４３を有している。突起部２４１の最高高さ位置は、冷気Ｃを孔２３０内にスムーズに案内するために、板ガラス３１の平面３１Ｐの位置よりも、突出して形成されている。冷気案内傾斜面２４２は、孔２３０の傾斜面２３１と同様にして、平行になるように角度θで傾斜されている。
【００６５】
これにより、冷蔵室２内に送られてくる冷気Ｃは、図８に示す冷気案内部材２４０の突起部２４１に突き当たりながら、孔２３０内に導かれ、棚２０の板ガラス３１の斜めに形成された孔２３０の傾斜面２３１と冷気案内傾斜面２４２の間を通って、板ガラス３１の上側領域から板ガラス３１の下側領域に、スムーズに導くことができる。
【００６６】
これにより、冷蔵室２内に１枚または複数枚の棚２０，２１が配置されても、冷蔵室２内において冷気Ｃの流動と循環を、さらに良好にすることができる。このため、冷蔵室２内の温度ムラの減少を図ることができ、複数の棚２０，２１で区切られた冷蔵室２の各スペース間における冷気Ｃの流れが、孔２３０を通じて容易になる。
【００６７】
また、冷気案内部材２４０の傾斜上面部２４３は、前方方向Ｘ１側に下がるように傾斜されている。このため、使用者が、収容物Ｅを、棚２０の上に後方方向Ｘ２へ載せようとする場合に、冷気案内部材２４０が棚２０に設けられていても、収容物Ｅは、この傾斜上面部２４３を乗り越えるようにして、容易に載せて収容することができる。
【００６８】
なお、図７に示すように、板ガラス３１では、反対側の位置にもう１つの孔２３０が、枠部３２の覆う部分３２Ｃに沿って、左右方向Ｙに関してほぼ中央位置に配置され、孔２３０に沿って冷気案内部材２４０が設けられるようにしても良い。これにより、冷気Ｃは、孔２３０と冷気案内部材２４０を用いて、冷蔵室２の後方にもスムーズに送ることができる。
【００６９】
なお、第４実施形態の棚２０の板ガラス３１には、図２に示す孔３０や、図５に示す孔１３０を追加して形成しても良い。
【００７０】
＜第５実施形態＞
次に、本発明の第５実施形態を、図９を参照して説明する。
【００７１】
図９は、図１の冷蔵庫１の冷蔵室２内に配置された下段の棚２１の形状例を示す平面図である。
【００７２】
この棚２１は、上段と中段の棚２０，２０の形状とは異なる。棚２１は、前側の分割棚部分２２と後側の分割棚部分２３から成る。前側の分割棚部分２２の板ガラス３１と後側の分割棚部分２３の板ガラス３１は、それぞれ図７に示した１つの孔２３０と冷気案内部材２４０を有している。
【００７３】
これにより、図１に示すように、冷蔵室２内に複数枚の棚２０，２１が配置されても、冷蔵室２内において冷気の流動と循環を、さらに良好にすることができる。このため、冷蔵室２内の温度ムラの減少を図ることができ、複数の棚２０，２１で区切られた冷蔵室２の各スペース間における冷気の流れが、孔２３０を通じて容易になる。
【００７４】
なお、第５実施形態の棚２０の前側の分割棚部分２２と後側の分割棚部分２３の板ガラス３１には、図２に示す孔３０や、図５に示す孔１３０を追加して形成しても良い。
【００７５】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７６】
図１に示す冷蔵庫１の構造は、一例であり、任意の構造を採用することができる。冷蔵室２は、片側開きの扉ではなく、観音開き式の左右の扉を備えるようにしても良い。
【符号の説明】
【００７７】
１      冷蔵庫
１Ａ    本体
２      冷蔵室（冷蔵温度帯に冷却可能な貯蔵室）
２０    棚
２１    棚
２９    棚受け部
３０    孔
３１    板ガラス
３２    枠部
１３０  孔
２３０  孔
２４０  冷気案内部材
Ｃ      冷気
【図１】
2017187232.tif 000003
【図２】
2017187232.tif 000004
【図３】
2017187232.tif 000005
【図４】
2017187232.tif 000006
【図５】
2017187232.tif 000007
【図６】
2017187232.tif 000008
【図７】
2017187232.tif 000009
【図８】
2017187232.tif 000010
【図９】
2017187232.tif 000011